(57)【要約】【課題】試験において、設問を解くために必要な知識や考え方を把握し吸収する能力（学習力）を試験時間の中で測定することができる試験装置等を提供する。【解決手段】解答時間が設定され、被験者の学習力を測定する試験装置１であって、出題される設問及び解答を含む設問情報を記憶する設問情報記憶部２１と、設問を解答するのに必要な知識及び／又は考え方を示す教育教材情報を記憶する解説情報記憶部２３と、試験の開始時刻から終了時刻までの解答時間の間に、教育教材情報をディスプレイ２６に表示する解説制御部２４と、解説制御部２４が教育教材情報をディプレイ２６に表示した後に、被験者の入力操作に基づいて、直前に表示されていた教育教材情報に関連する設問情報をディスプレイに表示する設問制御部２２とを備える。【選択図】図２
2019101161.tif 000002
【特許請求の範囲】
【請求項１】
解答時間が設定され、被験者の学習力を測定する試験装置であって、
出題される設問及び解答を含む設問情報を記憶する設問情報記憶手段と、
前記設問を解答するのに必要な知識及び／又は考え方を示す教育教材情報を記憶する解説情報記憶手段と、
試験の開始時刻から終了時刻までの前記解答時間の間に、前記教育教材情報をディスプレイに表示するように制御する解説制御手段と、
解説制御手段の制御により教育教材情報がディプレイに表示された後に、被験者の入力操作に基づいて、直前に表示されていた教育教材情報に関連する設問情報を前記ディスプレイに表示するように制御する設問制御手段とを備えることを特徴とする試験装置。
【請求項２】
請求項１に記載の試験装置において、
解説制御手段は、設問制御手段の制御により直前に表示されていた前記教育教材情報に関連する設問情報を表示した後は、以降の試験時間内において、既に表示された当該教育教材情報を表示しないように制御する試験装置。
【請求項３】
請求項１又は２に記載の試験装置において、
設問制御手段がディスプレイに表示した設問に対する被験者の解答を取得する解答情報取得手段と、
被験者の解答と前記設問情報記憶手段に記憶された解答とが一致するかどうかを判断する採点手段とを備え、
設問制御手段が、試験の開始時刻と同時に前記ディスプレイに前記設問を表示するように制御し、採点手段による採点の結果、当該設問に対する解答が不正解である場合に、前記解説制御手段は解答が不正解であった設問に関する教育教材情報を前記ディスプレイに表示するように制御する試験装置。
【請求項４】
請求項１ないし３のいずれかに記載の試験装置において、
解説情報記憶手段が、１つの設問に対して、内容が異なる複数の前記教育教材情報を記憶しており、
前記解説制御手段が、被験者の入力操作に応じて複数の前記教育教材情報から一の教育教材情報をディスプレイに表示するように制御する試験装置。
【請求項５】
請求項１ないし３のいずれかに記載の試験装置において、
解説情報記憶手段が、１つの設問に対して、内容が異なる複数の前記教育教材情報を記憶しており、
前記解説制御手段が、被験者の他の設問の解答状況に応じて複数の前記教育教材情報から一の教育教材情報をディスプレイに表示するように制御する試験装置。
【請求項６】
請求項３に記載の試験装置において、
解説情報記憶手段が、１つの設問に対して、内容が異なる複数の前記教育教材情報を記憶しており、
前記解説制御手段が、直前の設問に対する被験者の誤答の種別に応じて複数の前記教育教材情報から一の教育教材情報をディスプレイに表示するように制御する試験装置。
【請求項７】
請求項１ないし６のいずれかに記載の試験装置において、
設問制御手段の制御によりディスプレイに表示された設問に対する被験者の解答を取得する解答情報取得手段と、
被験者の解答と前記設問情報記憶手段に記憶された解答とが一致するかどうかを判断すると共に、設問ごとの点数を演算する採点手段とを備え、
前記設問情報記憶手段が、設問ごとに設定された解答上限時間を記憶しており、前記採点手段が、被験者により解答された時間が前記解答上限時間を超えた場合に、当該超えた時間に応じて点数を演算する試験装置。
【請求項８】
請求項１ないし７のいずれかに記載の試験装置において、
ディスプレイに表示された前記教育教材情報に対する被験者の動作を示す情報を入力する動作入力手段と、
入力された動作情報に基づいて、被験者の学習過程を解析する解析手段とを備える試験装置。
【請求項９】
解答時間が設定され、被験者の学習力を測定する試験方法であって、
コンピュータが、
解説情報記憶手段に記憶された設問を解答するのに必要な知識及び／又は考え方を示す教育教材情報をディスプレイに表示するように制御する解説制御ステップと、
解説制御ステップの制御により教育教材情報がディプレイに表示された後に、被験者の入力操作に基づいて、直前に表示されていた教育教材情報に関連する前記設問を前記ディスプレイに表示するように制御する設問制御ステップとを実行し、
解説制御ステップは、設問制御ステップの制御により直前に表示されていた前記教育教材情報に関連する設問情報を表示した後は、以降の試験時間内において、既に表示された当該教育教材情報を表示しないように制御することを特徴とする試験方法。
【請求項１０】
解答時間が設定され、被験者の学習力を測定する試験プログラムであって、
出題される設問及び解答を含む設問情報を記憶する設問情報記憶手段、
前記設問を解答するのに必要な知識及び／又は考え方を示す教育教材情報を記憶する解説情報記憶手段、
試験の開始時刻から終了時刻までの前記解答時間の間に、前記教育教材情報をディスプレイに表示するように制御する解説制御手段、
解説制御手段の制御により教育教材情報がディプレイに表示された後に、被験者の入力操作に基づいて、直前に表示されていた教育教材情報に関連する設問情報を前記ディスプレイに表示するように制御する設問制御手段としてコンピュータを機能させ、
解説制御手段は、設問制御手段の制御により直前に表示されていた前記教育教材情報に関連する設問情報を表示した後は、以降の試験時間内において、既に表示された当該教育教材情報を表示しないように制御することを特徴とする試験プログラム。
【発明の詳細な説明】
【技術分野】
【０００１】
本発明は、試験によって被験者の学習力を測定する試験装置等に関する。
【背景技術】
【０００２】
近年、従来の紙ベースの試験に代わって、コンピュータを用いた試験（例えば、ＣＢＴ：Computer  Based  Training）が行われる機会が増えている。ＣＢＴに関する技術として、例えば、特許文献１、２に示す技術が開示されている。特許文献１、２に示す技術は、学習者管理１１、成績管理１２、教材構造チャート１３、設問選択１４および設問提示１５の各サブシステムをプログラムで実行するデータ処理装置１と、学習者の氏名、住所等の情報を記憶する学習者データ記憶部２１、学習する各学習領域の属性、各学習領域に含まれる複数の学習要素の属性等を記憶する教材構造チャート記憶部２２、学習者の正誤情報、学習履歴情報等を記憶する学習履歴データ記憶部２３および設問本文、解答、解説、指導者マニュアル、設問の属性等を記憶する設問データ記憶部２４を具有する記憶装置２及び入出力装置３、４とを具備するものである。
【先行技術文献】
【特許文献】
【０００３】
【特許文献１】特開２００６−０７９１１３号公報
【特許文献２】特開平１１−１４３３４７号公報
【発明の概要】
【発明が解決しようとする課題】
【０００４】
特許文献１、２に示す技術は、利用者がＣＢＴにより効率よく学習することが可能になるものの、試験などにおいて、持っている知識や解答力を測定するだけではなく、被験者の学習力（学習する能力）を測定することができるものではない。
【０００５】
本発明は、試験において、設問を解くために必要な知識や考え方を把握し吸収する能力（学習力）を試験時間の中で測定することができる試験装置等を提供する。
【課題を解決するための手段】
【０００６】
本発明に係る試験装置は、解答時間が設定され、被験者の学習力を測定する試験装置であって、出題される設問及び解答を含む設問情報を記憶する設問情報記憶手段と、前記設問を解答するのに必要な知識及び／又は考え方を示す教育教材情報を記憶する解説情報記憶手段と、試験の開始時刻から終了時刻までの前記解答時間の間に、前記教育教材情報をディスプレイに表示するように制御する解説制御手段と、解説制御手段の制御により教育教材情報がディプレイに表示された後に、被験者の入力操作に基づいて、直前に表示されていた教育教材情報に関連する設問情報を前記ディスプレイに表示するように制御する設問制御手段とを備えるものである。
【０００７】
このように、本発明に係る試験装置においては、試験の開始時刻から終了時刻までの解答時間の間に、例えば教科書レベルの内容が記載された教育教材情報をディスプレイに表示し、当該教育教材情報をディプレイに表示した後に、被験者の入力操作に基づいて、直前に表示されていた教育教材情報に関連する設問情報をディスプレイに表示するため、被験者は、教育教材情報の内容を確認してから設問を解くこととなり、設問を解くのに必要な情報を教育教材情報から確実に抽出して吸収することができるかといった学習力を測定することが可能になるという効果を奏する。
【０００８】
本発明に係る試験装置は、解説制御手段は、設問制御手段の制御により直前に表示されていた前記教育教材情報に関連する設問情報を表示した後は、以降の試験時間内において、既に表示された当該教育教材情報を表示しないように制御するものである。
【０００９】
このように、本発明に係る試験装置においては、一旦表示した教育教材情報に関連する設問情報を表示した後は、以降の試験時間内において、既に表示された当該教育教材情報を表示しないように制御するため、教育教材情報を表示可能な決まった時間の中で教育教材情報の内容をいかに効率よく吸収し、まとめることができるかといった学習力を測定することが可能になるという効果を奏する。
【００１０】
本発明に係る試験装置は、設問制御手段がディスプレイに表示した設問に対する被験者の解答を取得する解答情報取得手段と、被験者の解答と前記設問情報記憶手段に記憶された解答とが一致するかどうかを判断する採点手段とを備え、設問制御手段が、試験の開始時刻と同時に前記ディスプレイに前記設問を表示するように制御し、採点手段による採点の結果、当該設問に対する解答が不正解である場合に、前記解説制御手段は解答が不正解であった設問に関する教育教材情報を前記ディスプレイに表示するように制御するものである。
【００１１】
このように、本発明に係る試験装置においては、設問制御手段の制御によりディスプレイに表示された設問に対する被験者の解答を取得する解答情報取得手段と、被験者の解答と前記設問情報記憶手段に記憶された解答とが一致するかどうかを判断する採点手段とを備え、設問制御手段が、試験の開始時刻と同時に前記ディスプレイに前記設問を表示するように制御し、採点手段による採点の結果、当該設問に対する解答が不正解である場合に、前記解説制御手段が解答が不正解であった設問に関する教育教材情報を前記ディスプレイに表示するように制御するため、設問に対する解答が不正解である場合に、その間違いに関して教育教材情報の内容を確認して学習し、再度教育教材情報の内容に関連する設問を解くことで、不正解になった理由の自己分析力、不正解箇所を正確に理解する能力、不正解だったことを生かした応用力といった学習力を測定することが可能になるという効果を奏する。
【００１２】
本発明に係る試験装置は、解説情報記憶手段が、１つの設問に対して、内容が異なる複数の前記教育教材情報を記憶しており、前記解説制御手段が、被験者の入力操作に応じて複数の前記教育教材情報から一の教育教材情報をディスプレイに表示するように制御するものである。
【００１３】
このように、本発明に係る試験装置においては、解説情報記憶手段が、１つの設問に対して、内容が異なる複数の前記教育教材情報を記憶しており、前記解説制御手段が、被験者の入力操作に応じて複数の前記教育教材情報から一の教育教材情報をディスプレイに表示するように制御するため、被験者が自分で必要と思う教育教材情報を閲覧して設問を解くことができるため、被験者が自分に不足している知識や能力を正確に自己分析しており、それに合った教育教材情報を選択できているかどうかといった能力を試すことができるという効果を奏する。
【００１４】
本発明に係る試験装置は、解説情報記憶手段が、１つの設問に対して、内容が異なる複数の前記教育教材情報を記憶しており、前記解説制御手段が、被験者の他の設問の解答状況に応じて複数の前記教育教材情報から一の教育教材情報をディスプレイに表示するように制御するものである。
【００１５】
このように、本発明に係る試験装置においては、解説情報記憶手段が、１つの設問に対して、内容が異なる複数の前記教育教材情報を記憶しており、前記解説制御手段が、被験者の他の設問の解答状況に応じて複数の前記教育教材情報から一の教育教材情報をディスプレイに表示するように制御するため、他の設問の解答状況に基づいて被験者にとって有利となる教育教材情報を提供し、その内容をきちんと理解できるかどうかといった学習力を測定することが可能になるという効果を奏する。
【００１６】
本発明に係る試験装置は、解説情報記憶手段が、１つの設問に対して、内容が異なる複数の前記教育教材情報を記憶しており、前記解説制御手段が、直前の設問に対する被験者の誤答の種別に応じて複数の前記教育教材情報から一の教育教材情報をディスプレイに表示するように制御するものである。
【００１７】
このように、本発明に係る試験装置においては、解説情報記憶手段が、１つの設問に対して、内容が異なる複数の前記教育教材情報を記憶しており、前記解説制御手段が、直前の設問に対する被験者の誤答の種別に応じて複数の前記教育教材情報から一の教育教材情報をディスプレイに表示するように制御するため、誤答となった原因をそれに対応する教育教材情報を参照することで理解し、応用させることができるかどうかといった学習力を測定することが可能になるという効果を奏する。
【００１８】
本発明に係る試験装置は、設問制御手段の制御によりディスプレイに表示された設問に対する被験者の解答を取得する解答情報取得手段と、被験者の解答と前記設問情報記憶手段に記憶された解答とが一致するかどうかを判断すると共に、設問ごとの点数を演算する採点手段とを備え、前記設問情報記憶手段が、設問ごとに設定された解答上限時間を記憶しており、前記採点手段が、被験者により解答された時間が前記解答上限時間を超えた場合に、当該超えた時間に応じて点数を演算するものである。
【００１９】
このように、本発明に係る試験装置においては、設問制御手段の制御によりディスプレイに表示された設問に対する被験者の解答を取得する解答情報取得手段と、被験者の解答と前記設問情報記憶手段に記憶された解答とが一致するかどうかを判断すると共に、設問ごとの点数を演算する採点手段とを備え、前記設問情報記憶手段が、設問ごとに設定された解答上限時間を記憶しており、前記採点手段が、被験者により解答された時間が前記解答上限時間を超えた場合に、当該超えた時間に応じて点数を演算するため、時間さえあれば設問に正解する知識や能力を持っている被験者を見極めることが可能になるという効果を奏する。
【００２０】
本発明に係る試験装置は、ディスプレイに表示された前記教育教材情報に対する被験者の動作を示す情報を入力する動作入力手段と、入力された動作情報に基づいて、被験者の学習過程を解析する解析手段とを備えるものである。
【００２１】
このように、本発明に係る試験装置においては、ディスプレイに表示された前記教育教材情報に対する被験者の動作を示す情報を入力する動作入力手段と、入力された動作情報に基づいて、被験者の学習過程を解析する解析手段とを備えるため、被験者が教育教材情報をどのように理解しているかをその動作から解析して学習力の高さを確認することができるという効果を奏する。
【図面の簡単な説明】
【００２２】
【図１】第１の実施形態に係る試験装置のハードウェア構成図である。
【図２】第１の実施形態に係る試験装置の機能ブロック図である。
【図３】第１の実施形態に係る試験装置の動作を示すフローチャートである。
【図４】第２の実施形態に係る試験装置の機能ブロック図である。
【図５】第２の実施形態に係る試験装置の動作を示すフローチャートである。
【図６】第２の実施形態に係る試験装置の表示画面の一例を示す第１の図である。
【図７】第２の実施形態に係る試験装置の表示画面の一例を示す第２の図である。
【図８】第２の実施形態に係る試験装置の表示画面の一例を示す第３の図である。
【図９】第２の実施形態に係る試験装置の表示画面の一例を示す第４の図である。
【図１０】その他の実施形態に係る試験装置の第１の機能ブロック図である。
【図１１】その他の実施形態に係る試験装置の第２の機能ブロック図である。
【発明を実施するための形態】
【００２３】
以下、本発明の実施の形態を説明する。また、本実施形態の全体を通して同じ要素には同じ符号を付けている。
【００２４】
（本発明の第１の実施形態）
本実施形態に係る試験装置について、図１ないし図３を用いて説明する。本実施形態に係る試験装置は、ＣＢＴを利用して被験者の学習力を測定するものである。通常の紙と鉛筆を用いた試験（ＰＢＴ：Paper  Based  Training）では、試験終了後に被験者の解答用紙を集めて採点作業が行われるため、試験時間内に採点し、採点結果を被験者にフィードバックすることができない。しかし、ＣＢＴであれば、被験者の解答はデータとして管理され、即時の自動採点も可能となる。本実施形態においては、このようなＣＢＴの特徴を利用して通常の試験で測定される被験者の知識や解答力だけでなく、設問を解くために必要な知識や考え方を把握し吸収する学習力を測定する。
【００２５】
なお、以下の実施形態においては、一例として大学等の入学試験を挙げるが、開始時刻と終了時刻が明確に規定されるような試験であれば、本実施形態に係る試験装置を適用可能である。すなわち、本実施形態に係る試験装置は、普段の講義や授業における学習のための確認テスト等ではなく、被験者の能力を試すための試験において適用されることが望ましい。
【００２６】
図１は、本実施形態に係る試験装置のハードウェア構成図である。試験装置１は、ＣＰＵ１１、ＲＡＭ１２、ＲＯＭ１３、ハードディスク（ＨＤとする）１４、通信Ｉ／Ｆ１５及び入出力Ｉ／Ｆ１６を備える。ＲＯＭ１３やＨＤ１４には、オペレーティングシステム、プログラム、データベース等が格納されており、必要に応じてプログラムがＲＡＭ１２に読み出され、ＣＰＵ１１により実行される。
【００２７】
通信Ｉ／Ｆ１５は、装置間の通信を行うためのインタフェースである。入出力Ｉ／Ｆ１６は、タッチパネル、キーボード、マウス等の入力機器からの入力を受け付けたり、プリンタやディスプレイ等にデータを出力するためのインタフェースである。この入出力Ｉ／Ｆ１６は、必要に応じて光磁気ディスク、ＣＤ−Ｒ、ＤＶＤ−Ｒ等のリムーバブルディスク等に対応したドライブを接続することができる。各処理部はバスを介して接続され、情報のやり取りを行う。
【００２８】
なお、上記ハードウェアの構成はあくまで一例であり、必要に応じて変更可能である。また、本実施形態において、通信Ｉ／Ｆ１５は、試験時間内は不正を防止する目的で通信機能を完全に遮断し、試験時間外では通信機能を利用できるように機能してもよい。さらに、本実施形態においては、タッチパネル方式でディスプレイに入力を行うタブレットを使って試験が行われるものとするが、他のデバイスが利用されてもよい。
【００２９】
図２は、本実施形態に係る試験装置の機能ブロック図である。試験装置１は、試験の設問に関する設問情報を記憶する設問情報記憶部２１と、設問情報記憶部２１から被験者に応じた出題対象となる設問情報を抽出する設問制御部２２と、設問情報記憶部２１に記憶された各設問ごとに、当該設問を解答するのに必要な知識や考え方が示された教育教材情報を格納する解説情報記憶部２３と、解説情報記憶部２３から表示対象となる教育教材情報を抽出する解説制御部２４と、設問情報や教育教材情報をディスプレイ２６に表示する表示制御部２５と、タッチパネルで入力された被験者の解答情報を取り込んで取得する情報取得部２７と、取得した解答情報が設問情報記憶部２１に記憶されている設問の正答と一致しているかどうかを判定して点数を演算する採点部２８と、採点結果を被験者ごとに記憶する結果情報記憶部２９とを備える。
【００３０】
設問情報記憶部２１に記憶される設問情報は、科目ごとに、例えば必要に応じて、問題種別（選択問題／記述式問題等）、問題文（図表等も含む）、選択肢、正答、解答時間、配点、文字数制限等の情報が含まれており、出題対象となる設問情報が一覧又は個別に表示できるようになっている。
【００３１】
解説情報記憶部２３に記憶される教育教材情報は、設問情報における各設問ごとに、その解説となる情報が含まれている。解説となる情報としては、例えば、教科書レベルの参考情報や、正答を導出するための考え方、ヒント、設問に関する原理・原則等の情報が含まれており、それらを参照することで、設問の正答を導出することができるようになっている。なお、解説となる教育教材情報には、設問の正答そのものを示すことで、間違いの原因を被験者に理解させるようにしてもよいし、正答は示さずにヒントのみを示して、被験者が正解するまでの思考を測定できるようにしてもよい。また、その他に、教育教材情報の最大表示時間や設問情報に合わせた表示順などの情報が含まれてもよい。
【００３２】
これらの設問情報記憶部２１や解説情報記憶部２３に記憶された情報は、設問制御部２２、解説制御部２４及び表示制御部２６の機能により被験者のディスプレイ２６に表示される。このとき、例えば、複数の設問を一覧表示し、その中から被験者自身の操作により解答する設問を選択できるようにしてもよいし、設問の項番順に一問ずつ表示されるようにしてもよい。
【００３３】
表示された設問に対して、被験者はディスプレイ２６のタッチパネルにより解答を入力する。入力された解答は情報取得部２７により取り込まれ、採点部２８が正誤判定を行って採点を行う。このとき、正答の情報や配点を情報を設問情報から読み出して演算を行う。採点の結果は結果情報記憶部２９に格納され、最終的な試験結果が得られる。
【００３４】
図３は、本実施形態に係る試験装置の動作を示すフローチャートである。準備段階として、被験者の各自に試験装置１が配布され、被験者の識別情報が認証されている。被験者は、例えば希望する学部や配属先により受験する科目が異なる場合があるが、識別情報で管理することで、各被験者ごとに必要な科目のみを受験できるようになる。予め準備が整ったら、試験が開始される（Ｓ１）。この開始と同時に、試験装置１は開始時刻を記憶し、以降試験時間内は時間管理部（図示しない）により試験時間が管理される。また、不正を防止するために、少なくとも試験の開始と同時かそれ以前から外部との通信が行われないように制御されることが望ましい。
【００３５】
解説制御部２４が、これから出題される設問に関する教育教材情報を解説情報記憶部２３から抽出し、表示制御部２６がディスプレイ２６に表示する（Ｓ２）。このとき、出題の順番が決まっている場合は、その順番で設問が表示される前に教育教材情報が表示され、設問一覧から被験者が解答する設問を選択した場合は、その選択された設問についての教育教材情報が表示される。表示制御部２６は、教育教材情報に含まれる最大表示時間や被験者からの操作情報に基づいて、表示している教育教材情報を非表示状態にする（Ｓ３）。
【００３６】
設問制御部２２は、表示制御部２６が教育教材情報を非表示にしたことを受けて、解説制御部２４で抽出された当該非表示となった教育教材情報に対応付けられている設問情報を設問情報記憶部２１から抽出し、表示制御部２６が抽出した設問情報をディスプレイ２６に表示する（Ｓ４）。表示された設問に対して、被験者がタッチパネルを操作して解答を入力したら、情報取得部２７が、その入力された解答情報を取得する（Ｓ５）。採点部２８が、取得した解答情報と設問情報記憶部２１に記憶されている当該設問の正答とを比較し、採点を行う（Ｓ６）。このとき、設問ごとに配点が異なる場合は、設問情報記憶部２１に記憶された配点情報に基づいて点数が演算される。採点結果は、結果情報記憶部２９に記憶される（Ｓ７）。Ｓ２からＳ７までの一連の処理は、試験が終了するまで繰り返して行われ（Ｓ８）、試験の終了と共に試験装置１の処理も終了する。このとき、不正を防止するために、試験終了と同時に画面がロックされ、一切の入力受け付けない状態に制御されるのが望ましい。
【００３７】
このように、本実施形態においては、試験時間中に解説となる教育教材情報を被験者に提示した上で設問を解かせるため、教育教材情報の内容を正確に把握して吸収できるような学習力を有しているかどうかを測定することができる。つまり、教育教材情報を提示しているにも関わらず誤答してしまう被験者は、教育教材情報の内容を理解し正答を導き出すような学習力に欠けていると判断することが可能となる。
【００３８】
（本発明の第２の実施形態）
本実施形態に係る試験装置について、図４ないし図９を用いて説明する。本実施形態に係る試験装置は、前記第１の実施形態に係る試験装置の機能を含むものであり、教育教材情報は、被験者が誤答した設問についてのみ提示されるものである。すなわち、誤答した場合に再チャレンジで解答を行うものである。なお、本実施形態において前記第１の実施形態と重複する説明は省略する。
【００３９】
図４は、本実施形態に係る試験装置の機能ブロック図である。処理部の構成は前記第１の実施形態における図２の場合と類似しているが、処理内容が一部追加されている。図２の場合と異なるのは、試験時間内において、まず設問制御部２２が設問を抽出し表示制御部２５によりディスプレ２６に表示される。このとき、表示された設問の情報は解説制御部２４にも共有される。
【００４０】
被験者は、表示された設問に解答し採点部２８により採点が行われる。解説制御部２４は、採点結果を結果情報記憶部２９から読み出して、設問に対する被験者の解答が誤答である場合は、その誤答した設問に対応する教育教材情報を解説情報記憶部２３から抽出し、表示制御部２５がディスプレイ２６に表示する。このとき、表示された教育教材情報は設問制御部２２にも共有される。設問制御部２２は、教育教材情報がディスプレイ２６から閉じられると、当該教育教材情報に関連する設問を再度設問情報記憶部２１から抽出し、表示制御部２５がディスプレイ２６に表示する。表示された再設問について、被験者が解答し、その解答が採点部２８により採点される。採点結果は結果情報記憶部２９に記憶され、解答が誤答である場合は再々チャレンジとして再度解説制御部２４により教育教材情報が抽出され、ディスプレイ２６に表示される。試験の終了時刻を限度として、設問に正解するまでこれらの処理が繰り返して行われる。
【００４１】
解説制御部２４は、誤答に対して一旦表示された教育教材情報が閉じられた後は、同じ教育教材情報が抽出されないように制御する。これは、一旦表示された教育教材情報の内容を整理し、吸収する能力を測るためである。すなわち、再設問でも誤答する被験者は、時間や閲覧回数が制限された中で、要点を抽出し、整理して纏める力が不足していると判断することができる。もし、一旦表示された教育教材情報が閉じられた後も再度閲覧可能にした場合は、このような能力を測ることはできない。
【００４２】
なお、解説情報記憶部２３には、１つの設問に対して複数の観点から解説された教育教材情報が記憶されるようにしてもよい。例えば、解説の詳細度合が異なるような複数の教育教材情報が記憶されており（例えば、情報Ａ：必要最小限のポイントのみ解説、情報Ｂ：情報Ａよりもやや詳しい解説、情報Ｃ：情報Ａ及びＢを踏まえたより詳細な解説）、被験者が閲覧を希望する教育教材情報を選択するようにしてもよい。つまり、被験者は表示されている設問に対して、自分の理解度が低い場合には詳細な解説がされている教育教材情報（情報Ｃ）を選択でき、ある程度理解はしているけれども解答は間違ってしまったといった場合には、確認ができる程度の基本的な解説のみが含まれている教育教材情報（情報Ａ）を選択できるようにする。このとき、元々の理解度が高い被験者とそうでない被験者との不公平をなくすために、詳細な解説がされている教育教材情報を選択した場合は減点が大きく、基本的な解説のみが含まれている教育教材情報を選択した場合は減点が小さくなるといった採点処理を採点部２８により行うようにしてもよい。
【００４３】
また、他の例として、被験者が既に解答している他の設問の解答状況に応じて、適正な教育教材情報が抽出されて表示されるようにしてもよい。つまり、他の設問で成績がよくない被験者に対しては非常に詳細な解説を提示し、他の設問で成績がよい被験者に対しては基本的な解説のみを提示する。このような測定は、設問に対する成績はよくないけれども、解説を理解したり吸収する能力が長けているかもしれない場合に、学習力として能力を測定することが可能となる。この場合も、他の設問で成績がよい被験者との不公平を無くすために、詳細な解説を提示した場合は減点が大きく、基本的な解説のみを提示した場合は減点が小さくなるといった採点処理を採点部２８により行うようにしてもよい。
【００４４】
さらに、他の例として、直前の設問が選択肢となっており、その設問において誤答となった選択肢の種別に応じて適切な教育教材情報が抽出されて表示されるようにしてもよい。例えば、教育教材情報として、計算ミスに関する解説（情報Ａ）、公式の理解に関する解説（情報Ｂ）、基本的な考え方を示した詳細な解説（情報Ｃ）が用意されているとする。また、設問は、「１」〜「５」の５択問題で「３」が正答とし、選択肢「１」及び「２」は計算ミスをした場合に選択される選択肢、選択肢「４」は公式を理解していない場合の選択肢、選択肢「５」は基本的な考え方を理解していない場合の選択肢の種別であるとする。このときに、被験者の誤答が「１」又は「２」であった場合には、それに対応する教育教材情報である情報Ａが表示され、被験者の誤答が「４」であった場合には、それに対応する教育教材情報である情報Ｂが表示され、被験者の誤答が「５」であった場合には、それに対応する教育教材情報である情報Ｃが表示される。このように、誤答となった選択肢の種別に応じて適正な教育教材情報が提示されることで、誤答となった原因を理解し、それを解決するような学習力が備わっているかどうかを測定することが可能となる。
【００４５】
より詳細な具体例を挙げて説明する。例えば、設問が「ある気体の密度を測定したら、標準状態で１．２５ｇ／Ｌであった。この気体の分子量を求めよ。」であり、選択肢が、「１：２８．０，２：２８．０ｇ，３：１．２５，４：２２．４、５：１１．２」であったとする。用意される教育教材情報は、以下の通りとなる。
（１）選択肢２で誤答となった場合（分子量の定義を間違っていると判断される場合）
分子量は、物質１ｍｏｌの質量からｇの単位を除いたものです。
（２）選択肢４で誤答となった場合（解法の手がかかりとなる定義を知らないと判断される場合）
標準状態（０℃、１ａｔｍ）では、理想気体１ｍｏｌの体積は２２．４Ｌです。まず、この気体１ｍｏｌ、つまり標準状態で２２．４Ｌに相当する質量を求めます。
（３）選択肢３、５又は無回答で誤答となった場合（問題に関する学習が十分でないと判断される場合）
標準状態（０℃、１ａｔｍ）では、理想気体１ｍｏｌの体積は２２．４Ｌです。そこで、この気体１ｍｏｌ、つまり標準状態で２２．４Ｌに相当する質量は、次の様に求められる。
１．２５ｇ／Ｌ×２２．４Ｌ＝２８．０ｇ
気体の分子量は、１ｍｏｌの質量に等しい（ただし、単位はつけない）ので、この気体の分子量は、28.0である。
【００４６】
このように、直前の設問において誤答となった選択肢の種別に応じた教育教材情報が抽出されて表示されることで、被験者に合った適正な教育教材情報を提供することが可能となる。
【００４７】
図５は、本実施形態に係る試験装置の動作を示すフローチャートである。以下、処理に応じた具体的な表示画面を参照しながら処理の流れを説明する。第１の実施形態の場合と同様に、準備段階として、被験者の各自に試験装置１が配布され、被験者の識別情報が認証されているとする。予め準備が整ったら、試験が開始される（Ｓ１）。この開始と同時に、試験装置１は開始時刻を記憶し、以降試験時間内は時間管理部（図示しない）により試験時間が管理される。また、不正を防止するために、少なくとも試験の開始と同時かそれ以前から外部との通信が行われないように制御されることが望ましい。
【００４８】
設問制御部２２は、試験の開始と同時に出題対象となっている設問情報を設問情報記憶部２１から抽出し、表示制御部２６が抽出した設問情報をディスプレイ２６に表示する（Ｓ２）。このとき、出題の順番が決まっている場合は、その順番で設問が表示され、設問一覧から被験者が解答する設問を選択した場合は、その選択された設問が表示される。ここでは、図６（Ａ）に示すように、設問の一覧（全９問）が表示され、その中から、被験者が解答する１問を選択するものとする。図６（Ｂ）は、図６（Ａ）において問２が選択された場合の表示画面の一例を示している。表示された設問に対して、被験者がタッチパネルを操作して解答を入力したら、情報取得部２７が、その入力された解答情報を取得する（Ｓ３）。ここでは、図７に示すように、被験者による解答がなされ、その設問に関して採点を行うかどうかの確認画面が表示される。「はい」が押下されると、採点部２８による採点処理が行われる。
【００４９】
採点部２８が、取得した解答情報と設問情報記憶部２１に記憶されている当該設問の正答とを比較し、採点を行う（Ｓ４）。このとき、設問ごとに配点が異なる場合は、設問情報記憶部２１に記憶された配点情報に基づいて点数が演算される。採点結果は、結果情報記憶部２９に記憶される（Ｓ５）。
【００５０】
解説制御部２４は、採点された設問について被験者の解答が正解が不正解であるかを結果情報記憶部２９に記憶された情報から判断し（Ｓ６）、正解である場合は、試験終了時刻までステップＳ２からの処理が繰り返して行われる。不正解である場合は、不正解となった設問の一覧（すなわち、再チャレンジの対象となる設問情報）が表示され、再チャレンジとして選択された設問に関する教育教材情報を解説情報記憶部２３から抽出し、表示制御部２６がディスプレイ２６に表示する（Ｓ７）。図８は、再チャレンジにおいて表示された教育教材情報の一例である。ここでは、かなり詳細な解説がなされており、誤答となった設問の正答やその周辺の知識に関する情報が表示されている。なお、上述したように、複数の教育教材情報が予め用意されており、被験者の選択、被験者の他の解答の解答状況、誤答となった選択肢の種別に応じて適正な教育教材情報が表示されるようにしてもよい。
【００５１】
表示制御部２６は、教育教材情報に含まれる最大表示時間や被験者からの操作情報に基づいて、表示している教育教材情報を非表示状態にする（Ｓ８）。このとき、解説制御部２４は、非表示状態にした教育教材情報について、「表示済み」の状態であることを解説情報記憶部２３に書き込んでおく（Ｓ９）。こうすることで、「表示済み」の状態となっている教育教材情報を表示対象から除外して、一旦表示された教育教材情報が閉じられた後は、同じ教育教材情報が抽出されないように制御することができる。
【００５２】
設問制御部２２は、表示制御部２６が教育教材情報を非表示にしたことを受けて、ステップＳ２の処理に戻り、当該非表示となった教育教材情報に対応付けられている設問情報を設問情報記憶部２１から抽出し、表示制御部２６が抽出した設問情報をディスプレイ２６に表示する。ここでは、例えば図９（Ａ）に示すように、図８の解説に記載されていた内容に基づいた新たな設問が表示され、解説として表示された教育教材情報の内容が本当に理解できているかを測定可能とする。以降は、試験終了まで同様の処理が繰り返して行われ、全ての設問に対して試験時間内に正解したら、図９（Ｂ）に示すように試験終了の表示がなされて試験が終了する（Ｓ１０）。なお、全ての設問に正解できない場合であっても、試験時間が終了したらディスプレイ２６がロックされ被験者が操作できないようになる。
【００５３】
このように、本実施形態に係る試験装置においては、設問に対する解答が不正解である場合に、解答が不正解であった設問に関する教育教材情報をディスプレイに表示するため、その間違いに関して教育教材情報の内容を確認して学習し、再度教育教材情報の内容に関連する設問を解くことで、不正解になった理由の自己分析力、不正解箇所を正確に理解する能力、不正解だったことを生かした応用力といった学習力を測定することが可能になる。
【００５４】
また、一旦表示した教育教材情報に関連する設問情報を表示した後（すなわち、教育教材情報のウインドウ又は画面を閉じた後）は、以降の試験時間内において、既に表示された当該教育教材情報を表示しないように制御するため、教育教材情報を表示可能な決まった時間の中で教育教材情報の内容をいかに効率よく吸収し、まとめることができるかといった学習力を測定することが可能になる。
【００５５】
さらに、解説制御部２４が、被験者の入力操作に応じて複数の教育教材情報から一の教育教材情報をディスプレイ２６に表示するため、被験者が自分で必要と思う教育教材情報を閲覧して設問を解くことができ、被験者が自分に不足している知識や能力を正確に自己分析しており、それに合った教育教材情報を選択できているかどうかといった能力を試すことができる。
【００５６】
さらにまた、解説制御部２４が、被験者の他の設問の解答状況に応じて複数の教育教材情報から一の教育教材情報をディスプレイ２６に表示するため、他の設問の解答状況に基づいて被験者にとって有利となる教育教材情報を提供し、その内容をきちんと理解できるかどうかといった学習力を測定することが可能になる。
【００５７】
さらにまた、解説制御部２４が、直前の設問に対する被験者の誤答の種別に応じて複数の教育教材情報から一の教育教材情報をディスプレイ２６に表示するため、誤答となった原因をそれに対応する教育教材情報を参照することで理解し、応用させることができるかどうかといった学習力を測定することが可能になる。
【００５８】
（本発明のその他の実施形態）
本実施形態に係るその他の実施形態について、図１０及び図１１を用いて説明する。なお、本実施形態において、前記各実施形態と重複する説明は省略する。
【００５９】
図１０は、本実施形態に係る試験装置の第１の機能ブロック図である。本実施形態において、第１の実施形態における図２の構成と異なるのは、被験者が各設問に解答するのに要した時間を計測する時間計測部１０１を備え、採点部２８は、被験者が設問に対して解答に要した解答時間に応じて点数を演算することである。具体的には、設問情報記憶部２１において各設問ごとに解答上限時間が設定されており、時間計測部１０１が計測した実際の解答時間と解答上限時間とを比較し、解答上限時間を超えていた場合に、その超えた時間に応じて採点処理を行うものである。被験者は、この解答上限時間内に解答することが原則であるが、仮に上限時間を超えた場合であっても点数が加点されるように演算するものである。
【００６０】
被験者の中には、設問に対する理解度は十分に備えているものの、解答に時間が掛かったり、設問には即答できないものの、原理・原則が十分に理解されていることから、自力で応用問題に対する解答を時間を掛けて導き出すといった特性を有している場合がある。このような被験者については、思考力、創造力、基礎力、応用力といった能力が備わっている可能性があり、必要な能力として評価することができる場合もある。
【００６１】
つまり、多少時間が掛かっても最終的に正解できる被験者については、多少の加点を与えることで能力を評価することが可能となる。具体的には、例えば、解答上限時間が５分で設定されている配点が１０点の問題に対して、解答上限時間が１分を超えるごとに１点減点する。すなわち、例えば、５分以内で正解すれば１０点、５分〜６分であれば正解しても９点、１０分要した場合には、正解しても５点といった採点となる。この採点条件は、例えば、設問情報記憶部２１に予め設問ごとに設定されて記憶されており、採点部２８がその採点条件を設問情報記憶部２１から読み出して演算するようにしてもよい。また、延長時間には上限を設けるようにしてもよく、例えば上記の例の場合、延長上限時間を１０分と設定した場合は、１０分を超えて正解しても採点は０点となるように採点条件を設定してもよい。
【００６２】
図１１は、本実施形態に係る試験装置の第２の機能ブロック図である。図１１において、試験装置１は、前記各実施形態における試験装置の構成に加えて、情報取得部２７がディスプレイ２６に表示された教育教材情報に対する被験者の動作を示す情報を取得し、取得された動作情報に基づいて、被験者の学習過程を解析する解析部１１１を備える構成となっている。
【００６３】
被験者の動作を示す情報とは、例えば被験者の目線、被験者がディスプレイ２６上に記入した目印やアンダーライン、一覧表示された設問から解答する設問を選択する選択順、解答の選択肢を選択する際のやり直し方、やり直し順等の動作を示す。これらの動作情報が情報取得部２７により取得され、解析部１１１により解析されることで、被験者の思考や設問に対する理解度、重要なポイントの抽出ができているかどうかといった推定を行うことが可能となる。
【００６４】
具体的には、例えば、被験者の目線を解析する場合、試験装置１に設置されたカメラで被験者の顔を撮像し、白目部分に対する黒目の位置で視線方向を推定する。推定された視線方向から被験者が注視している単語や文章を割り出し、理解に時間を要している内容や流し読みをしている内容等に基づいて、被験者の教育教材情報への理解度や関心度を解析することができる。
【００６５】
また、例えば、表示された教育教材情報に対して、被験者がアンダーラインを引いたりメモ等を記入した場合は、その情報を取り込んで解析部１１１が解析することで、被験者が気になった箇所や、教育教材情報の内容を理解するために行った学習過程を推定して学習力を測定することが可能となる。
【００６６】
さらに、選択する設問の順番や選んだ選択肢の履歴を解析することにより、被験者の得意分野、苦手分野、解答に対する自信の有無等を推定することができる。また、迷った選択肢を解析することで、被験者に何が足りないかを推定することができ、その足りないものに見合った教育教材情報を表示することも可能となる。
【００６７】
このように、本実施形態に係る試験装置においては、設問ごとに設定された解答上限時間を記憶しており、採点部２８が、被験者により解答された時間が解答上限時間を超えた場合に、当該超えた時間に応じて点数を演算することで、時間さえあれば設問に正解する知識や能力を持っている被験者を見極めることが可能になる。
【００６８】
また、ディスプレイ２６に表示された教育教材情報に対する被験者の動作を示す動作情報に基づいて、被験者の学習過程を解析することで、被験者が教育教材情報をどのように理解しているかをその動作から解析して学習力の高さを確認することができる。
【符号の説明】
【００６９】
１  試験装置
１１  ＣＰＵ
１２  ＲＡＭ
１３  ＲＯＭ
１４  ＨＤ（ハードディスク）
１５  通信Ｉ／Ｆ
１６  入出力Ｉ／Ｆ
２１  設問情報記憶部
２２  設問制御部
２３  解説情報記憶部
２４  解説制御部
２５  表示制御部
２６  ディスプレイ
２７  情報取得部
２８  採点部
２９  結果情報記憶部
１０１  時間計測部
１１１  解析部
【図１】
2019101161.tif 000003
【図２】
2019101161.tif 000004
【図３】
2019101161.tif 000005
【図４】
2019101161.tif 000006
【図５】
2019101161.tif 000007
【図６】
2019101161.tif 000008
【図７】
2019101161.tif 000009
【図８】
2019101161.tif 000010
【図９】
2019101161.tif 000011
【図１０】
2019101161.tif 000012
【図１１】
2019101161.tif 000013